(57)【要約】【課題】コンタクトガラス板の原稿排出側に隣接して配置された下流側原稿搬送ガイドを有しており、原稿の読み取りムラを有効に回避し得る原稿ガイド機構を提供する。【解決手段】コンタクトガラス１の上部に配置された上方原稿搬送ガイド７と、コンタクトガラス１の原稿排出側に隣接して配置された下流側原稿搬送ガイド１０とを備え、上方原稿搬送ガイド７は、原稿導入側に位置する導入傾斜部２０と、コンタクトガラス１の上面に対面している原稿付勢部２１と、原稿排出側に位置する排出傾斜部２３とを有しており、原稿付勢部２１は、原稿導入側に位置する下に凸の湾曲面２１ａと、原稿排出側に位置する水平面２１ｂとからなっており、水平面２１ｂは、湾曲面２１ａよりも大きな間隔でコンタクトガラス上面に対面している。【選択図】図１
2007074752.tif 000002
【特許請求の範囲】
【請求項１】
下部に原稿読み取り用光学系が配置されているコンタクトガラスの上部に配置された上方原稿搬送ガイドと、該コンタクトガラス板の原稿排出側に隣接して配置された下流側原稿搬送ガイドとからなり、移動する原稿を、該コンタクトガラスの上面に沿って導入し且つ該コンタクトガラス上から排出するための原稿ガイド機構において、
前記下流側原稿搬送ガイドの上面は、コンタクトガラス側の端部が該コンタクトガラスの上面よりも低く且つコンタクトガラスから遠ざかるにしたがって高くなる傾斜面となっており、
前記上方原稿搬送ガイドは、原稿導入側に位置する導入傾斜部と、コンタクトガラス上面に対面している原稿付勢部と、原稿排出側に位置する排出傾斜部とを有しており、該原稿付勢部は、原稿導入側に位置する下に凸の湾曲面と、原稿排出側に位置する水平面とからなっており、該水平面は、該湾曲面よりも大きな間隔でコンタクトガラス上面に対面していることを特徴とする原稿ガイド機構。
【発明の詳細な説明】
【技術分野】
【０００１】
本発明は、複写機、ファクシミリ、プリンタ、スキャナ等の画像形成装置に使用される原稿読み取り部に使用される原稿ガイド機構に関するものである。
【背景技術】
【０００２】
電子写真法による画像形成装置では、感光体表面を所定極性に一様に帯電し、次いで所定の原稿情報に基づいての光照射による画像露光を行って静電荷像を形成し、この電荷像を現像してトナー像を形成し、このトナー像を所定の用紙に転写して定着することにより、画像形成が行われる。このような画像形成装置において、上記の原稿情報は、原稿に光照射し、その反射光をＣＣＤ素子などにより原稿画像を読み取ることによって得られる。これは、スキャナ等の画像読み取り装置でも同様である。
【０００３】
上記のようにして画像の読み取りが行われる装置では、原稿を自動送りし、コンタクト板を通過する原稿に光照射して原稿画像の読み取りを行うものが広く普及している。例えば、ファクシミリや事務用複写機では、ほとんど、このような読み取り機構を備えている。このように、コンタクトガラス板上を通過する原稿について原稿画像の読み取りを行う場合には、通常、原稿の排出側に、コンタクトガラスに隣接して原稿搬送ガイドが設けられている（例えば特許文献１）。
【特許文献１】特開平９−３７０２３号公報
【発明の開示】
【発明が解決しようとする課題】
【０００４】
上記のような搬送ガイドは、その上面が傾斜したガイド面となっており、コンタクトガラス板上を通過した原稿を上記ガイド面に沿って上方に送り出し、所定の原稿トレイ上に原稿を排紙するようになっている。
【０００５】
しかしながら、コンタクトガラス板の原稿排出側に隣接して搬送ガイド（以下、下流側搬送ガイドと呼ぶことがある）を設けた場合には、原稿の読み取りムラが発生しやすいという問題があった。
【０００６】
従って、本発明の目的は、コンタクトガラス板の原稿排出側に隣接して配置された下流側原稿搬送ガイドを有しており、原稿の読み取りムラを有効に回避し得る原稿ガイド機構を提供することにある。
【課題を解決するための手段】
【０００７】
本発明によれば、下部に原稿読み取り用光学系が配置されているコンタクトガラスの上部に配置された上方原稿搬送ガイドと、該コンタクトガラス板の原稿排出側に隣接して配置された下流側原稿搬送ガイドとからなり、移動する原稿を、該コンタクトガラスの上面に沿って導入し且つ該コンタクトガラス上から排出するための原稿ガイド機構において、
前記下流側原稿搬送ガイドの上面は、コンタクトガラス側の端部が該コンタクトガラスの上面よりも低く且つコンタクトガラスから遠ざかるにしたがって高くなる傾斜面となっており、
前記上方原稿搬送ガイドは、原稿導入側に位置する導入傾斜部と、コンタクトガラス上面に対面している原稿付勢部と、原稿排出側に位置する排出傾斜部とを有しており、該原稿付勢部は、原稿導入側に位置する下に凸の湾曲面と、原稿排出側に位置する水平面とからなっており、該水平面は、該湾曲面よりも大きな間隔でコンタクトガラス上面に対面していることを特徴とする原稿ガイド機構が提供される。
【発明の効果】
【０００８】
本発明の原稿ガイド機構においては、コンタクトガラス板の原稿排出側に隣接して下流側原稿搬送ガイドが設けられているとともに、コンタクトガラスの上方には、上方原稿搬送ガイドが設けられており、この上方原稿搬送ガイドには、コンタクトガラスの上面に対面するように位置する原稿付勢部が形成されており、この原稿付勢部が、原稿導入側に位置する下に凸の湾曲面と、原稿排出側に位置する水平面とからなっており、該水平面は、該湾曲部よりも大きな間隔でコンタクトガラス上面に対面していることが重要な特徴である。即ち、読み取り原稿は、上方原稿搬送ガイドの導入傾斜部に沿ってコンタクトガラス上面に導入され、コンタクトガラス上面に導入された読み取り原稿は、コンタクトガラスの上面に沿って移動し、この際に原稿読み取り作業が行われ、次いで、下流側原稿搬送ガイドに沿って上方に案内され、上方原稿搬送ガイドの排出傾斜部に沿って案内されて排出される。本発明においては、コンタクトガラスの上面に原稿が導入され、この原稿の先端が、下流側原稿搬送ガイドの傾斜面に当接したときに生じる衝撃力が、上方原稿搬送ガイドによって緩和され、これにより、読み取りムラを有効に回避することができる。
【０００９】
即ち、原稿先端が下流側原稿搬送ガイドの傾斜面に当接したときに生じる衝撃力によって原稿には変形が生じるが、本発明においては、上方原稿搬送ガイドの原稿付勢部に形成されている水平面とコンタクトガラス上面との間隔が大きくなっているため、この部分で原稿は上方に撓み、これにより、原稿付勢部の凸の湾曲面が形成されている部分において、原稿とコンタクトガラスとの密着状態は確保される。従って、この部分で原稿画像の読み取りを行うことにより、原稿先端が下流側原稿搬送ガイドの傾斜面に当接したときの衝撃力による原稿の変形が、原稿画像の読み取りに影響を与えず、原稿の読み取りムラを有効に回避することが可能となるのである。
【発明を実施するための最良の形態】
【００１０】
図１は、本発明の原稿ガイド機構の配置を示す概略側断面図である。図１において、コンタクトガラス１は、所定の画像形成装置等の上面の機枠２に取り付けられており、コンタクトガラス１の上面に画像読み取り用の原稿３が通過するようになっている。即ち、図示されていないが、コンタクトガラス１の下側には、光源、ＣＣＤ素子、光学レンズ等からなる光学系ユニットが配置されており、コンタクトガラス１上を通過する原稿への光照射によって、原稿画像の読み取りを行うようになっている。
【００１１】
即ち、原稿３の搬送方向に対して、コンタクトガラス１の上流側上方には、上流側搬送ガイド５が配置され、コンタクトガラス１の上面には、適当な間隔を置いて上方原稿搬送ガイド７が配置され、所定の原稿台（図示せず）に載置された原稿は、それ自体公知の方法によって、給紙コロなどを介して、ガイド５からコンタクトガラス１上に搬送され、この原稿３は、上方原稿搬送ガイド７によって、コンタクトガラス１の上面に接しながらコンタクトガラス１上を通過する。このようにして原稿３がコンタクトガラス３上を通過する際に、画像読み取り作業が連続的に行われるものである。
【００１２】
一方、コンタクトガラス３の原稿搬送方向下流側には、コンタクトガラス１に隣接して下流側原稿搬送ガイド１０が機枠２に固定されている。即ち、コンタクトガラス１を通過した原稿３は、この原稿搬送ガイド１０に沿って、上方に排出され、例えば原稿排紙トレイ上に送り出されることとなる。
【００１３】
図１から明らかな通り、下流側原稿搬送ガイド１０は、その上面の一方側端部は、全体的にコンタクトガラス１の上面よりも下側に位置し、他方側端部は、コンタクトガラス１の上面よりもかなり高い位置にあり、全体的にかなり傾斜した面１０ａとなっている。この原稿搬送ガイド１０の上面（傾斜面１０ａ）の一方側端部は、コンタクトガラス１の上面と面一であるのが最適であるが、形状誤差、或いは取り付け誤差などにより、多少でもコンタクトガラス１の上面よりも上側になってしまうと、原稿３の引っ掛かりなどを生じてしまう。従って、このような引っ掛かりを確実に防止するため、その上面の一方側端部は、コンタクトガラス１の上面よりも全体に低くしているわけである。
【００１４】
従って、コンタクトガラス１上を通過した原稿３の先端は、原稿搬送ガイド１０の傾斜面１０ａの中途部分に当接し（当接点はＰで示した）、そのまま上方に案内されることとなる。
【００１５】
本発明の原稿ガイド機構は、上記のように配置された上方原稿搬送ガイド７と、下流側原稿搬送ガイド１０とを備えている。
【００１６】
上方原稿搬送ガイド７は、原稿導入側に位置する導入傾斜部２０と、コンタクトガラス１の上面に対面している原稿付勢部２１と、原稿排出側に位置する排出傾斜部２３とを有している。即ち、原稿３は、導入傾斜部２０に沿ってコンタクトガラス１上面に導入され、原稿付勢部２１により、この原稿３は、コンタクトガラス１の上面に密着しながら該上面に沿って移動し、この際に原稿読み取り作業が行われ、次いで、上述した下流側原稿搬送ガイド１０の傾斜面１０ａに沿って上方に案内され、排出傾斜部２３と傾斜面１０ａとの間の空間を通って排出される。
【００１７】
本発明においては、上方原稿搬送ガイド７の原稿付勢部２１が、原稿導入側に位置する下に凸の湾曲面２１ａと、原稿排出側に位置する水平面２１ｂとからなっており、この水平面２１ｂは、湾曲面２１ａよりも大きな間隔でコンタクトガラス１の上面に対面している。即ち、コンタクトガラス１の上面に導入された原稿３は、原稿付勢部２１に形成されている凸の湾曲面２１ｂによってコンタクトガラス１の上面に密着し、そのままコンタクトガラス１の上面に沿って移動し、下流側原稿搬送ガイド１０の傾斜面１０ａに沿って案内されて排出される。この場合、原稿の先端が傾斜面１０ａに当接したときに衝撃力が発生し、原稿３の変形が生じることがある。本発明においては、原稿排出側に位置する水平面２１ｂとコンタクトガラス１の上面との間隔が湾曲面２１ａとコンタクトガラス１との間隔よりも大きくなっているため、この水平面２１ｂが形成されている部分で原稿３が上方に撓むこととなる。即ち、このような撓みにより、上記衝撃力が緩和され、凸の湾曲面２１ｂが形成されている部分での原稿３とコンタクトガラス１の上面との密着が維持される。従って、湾曲面２１ａに対面するコンタクトガラス１の下方部分で画像の読み取りを行うことにより、衝撃力による原稿の変形に起因する読み取りムラを有効に回避することが可能となる。
【００１８】
また、図２（ａ）〜（ｃ）は、原稿３の先端との当接点Ｐを含む部分での下流側原稿搬送ガイド１０の横断面図（図１のガイド１０におけるＡ−Ａ部における横断面）の種々の例を示したものである。これらの図から理解されるように、図１の下流側原稿搬送ガイド１０の傾斜面１０ａには、当接点Ｐを含む部分に部分ガイド面３０を形成することが好ましい。
【００１９】
即ち、部分ガイド面３０は、傾斜面１０ａの当接点Ｐを含むように幅方向の一部に形成され、コンタクトガラス１側の端部が低く、且つコンタクトガラス１から遠ざかるにしたがって高くなる幅狭の傾斜面であり、他の面（非ガイド面）３２に比して相対的に高い面となっている。このことから理解されるように、傾斜面１０ａの幅方向の一部が幅狭のガイド面３０となっており（傾斜面１０ａの全体がガイド面となっていない）、この傾斜面１０ａ（ガイド１０の上面）に導入された原稿３は、部分的にガイド面３０に接触して上方に案内されることとなる。換言すると、原稿３の先端との当接点Ｐが部分ガイド領域に位置するということは、原稿３の先端の幅方向全体がガイド面３０に当接するのではなく、その幅方向の一部がガイド面３０に当接することを意味する。従って、原稿３の先端の幅方向全体が傾斜面１０ａと当接する場合と比較すると、当接の際の衝撃力が大幅に軽減され、この結果、原稿３の先端が搬送ガイド１０に当接する際の衝撃による原稿搬送速度の不均一化が有効に緩和され、このような衝撃力に起因する読み取りムラを一層有効に回避することが可能となる。
【００２０】
このような部分ガイド領域におけるガイド面３０は、種々の形態で形成されていてよく、例えば、図２（ａ）は、幅方向中心部に部分ガイド面３０が形成されており、その両側部分は、原稿３とは接触しない非ガイド面３２となっている。また、図２（ｂ）は、一定の間隔で、部分ガイド面３０が幅方向に間欠的に複数形成されており、ガイド面１０の上面（傾斜面１０ａ）が全体として凹凸面となっている例である。即ち、図２（ｂ）の例では、凸面の頂部が部分ガイド面３０となっており、その間の凹面が非ガイド面３２となっている。原稿３の斜め送り等を防止するためには、通常は、部分ガイド面３０を幅方向中心に対して対称的に形成しておくことが好ましい。また、小サイズ原稿を搬送ガイド１０の幅方向の一方側（例えば奥側）に寄せて搬送が行われるようなタイプの装置では、図２（ｃ）に示されている如く、一方側端部（図２（ｃ）では左側）に寄った位置に部分ガイド面３０を設けることが好ましい。
【００２１】
図２（ａ）〜（ｃ）に示されているような形状の下流側原稿搬送ガイド１０においては、原稿３の先端の一部が部分ガイド面３０に当接して上方に案内されるように形成されているが、このような部分ガイド面３０は、このガイド１０の上面の下端（コンタクトガラス１側の端部）から上方に延びている。原稿３の当接点Ｐは、原稿３の先端の状態、原稿の送り速度などによってかなりばらつくおそれがあるため、常に部分ガイド面３０に原稿３の当接点Ｐが位置するようにするためである。
また、上記のような部分ガイド面３０が形成されている限り、原稿搬送ガイド１０の上面形状に格別の制限はなく、例えば、上方にいくにしたがい、非ガイド面３２が部分ガイド面３０と面一となるような形状（即ち、上方では全体がガイド面となる）であってもよいし、また、部分ガイド面３０及び非ガイド面３２が常に一定の高低差を有するように形成することもできる。
さらに、原稿３の先端が最初に原稿搬送ガイド１０と当接する位置に部分ガイド面３０が形成されていればよいが、一般的には、原稿３の送り出しを安定に行うために、上方で非ガイド面３２がガイド面３０と面一となるような形状とすることが好ましい。即ち、上方にいくにしたがって、原稿３の全体が原稿搬送ガイド１０の上面（傾斜面１０ａ）と接触するような構造とすることが好適である。
【図面の簡単な説明】
【００２２】
【図１】本発明の原稿搬送ガイドの配置を示す概略側断面図。
【図２】図１に示されている下流側原稿搬送ガイドの上面、即ち傾斜面の形状の一例を示す図。
【符号の説明】
【００２３】
１：コンタクトガラス
３：原稿
７：上方原稿搬送ガイド
１０：下流側原稿搬送ガイド
２０：導入傾斜部
２１：原稿付勢部
２１ａ：湾曲面
２１ｂ：水平面
２３：排出傾斜部
【図１】
2007074752.tif 000003
【図２】
2007074752.tif 000004